(57)【要約】【課題】  アクチュエータの可動部に搭載された収差補正用の液晶素子へ供給する制御信号の、フォーカシングサーボあるいはトラッキングサーボに対する影響を低減し、かつ、フォーカシングコイル、トラッキングコイル、液晶素子への給電線として機能する弾性支持部材の数が少ない光ピックアップ装置および光情報記録再生装置を提供する。【解決手段】  液晶素子の基準電極（電極パターン２０１）に供給する基準電位を、フォーカシングコイル５２およびトラッキングコイル５３の駆動電圧を供給する給電線とは異なる専用の給電線で供給する。また、液晶素子の制御電極２００ａ〜２００ｃに供給する制御信号を重畳させ、両コイルの駆動電圧を供給する給電線とは異なる専用の給電線で供給する。また、重畳された制御信号を検波回路２１０、ＨＰＦ２１１，２１２、分圧抵抗２１３，２１４によって、同位相かつ単一周波数の矩形信号に変換して各制御電極に供給する。【選択図】  図４
2005235340.tif 000002
【特許請求の範囲】
【請求項１】
光学的情報記録媒体に光ビームを照射して情報の記録または再生を行う装置に用いられる、対物レンズと、前記対物レンズに入射する光ビームの収差を補正する収差補正素子と、フォーカシングコイルと、トラッキングコイルとを備えた、導電性の弾性支持部材によって移動可能に支持される可動部を有し、上記フォーカシングコイルおよびトラッキングコイルの駆動信号と上記収差補正素子の制御信号とを、上記弾性支持部材を介して供給する光ピックアップ装置において、
上記収差補正素子は、複数の制御電極からなる電極と、前記電極に対向する基準電極とを備え、
上記各制御電極に対する制御信号を、他の信号と重畳させることによって、上記重畳させた他の信号と共通の弾性支持部材を介して供給し、
上記基準電極に対する制御信号を、上記フォーカシングコイルおよびトラッキングコイルの駆動信号、および、上記各制御電極に対する制御信号、を供給するための弾性支持部材とは異なる弾性支持部材を介して供給することを特徴とする光ピックアップ装置。
【請求項２】
上記収差補正素子は、印加する電圧に応じて屈折率が変化することを特徴とする請求項１に記載の光ピックアップ装置。
【請求項３】
上記収差補正素子は、液晶素子であることを特徴とする請求項１または２に記載の光ピックアップ装置。
【請求項４】
上記収差補正素子は、印加する電圧に応じて厚さが変化することを特徴とする請求項１に記載の光ピックアップ装置。
【請求項５】
上記収差補正素子は、ＰＬＺＴ素子であることを特徴とする請求項１または４に記載の光ピックアップ装置。
【請求項６】
上記各制御電極に対する制御信号を互いに重畳させ、上記フォーカシングコイルおよびトラッキングコイルの駆動信号を供給する弾性支持部材とは異なる、１本の弾性支持部材を介して供給することを特徴とする請求項１〜５のいずれかに記載の光ピックアップ装置。
【請求項７】
上記重畳させた上記各制御電極に対する制御信号を、上記基準電極に供給する制御信号に基づいて分離し、上記各制御電極に供給する駆動回路を、上記可動部に備えていることを特徴とする請求項６に記載の光ピックアップ装置。
【請求項８】
上記各制御電極に対する制御信号を、上記フォーカシングコイルおよび／またはトラッキングコイルの駆動信号に重畳させ、上記重畳させた駆動信号と共通の弾性支持部材を介して供給することを特徴とする請求項１〜５のいずれかに記載の光ピックアップ装置。
【請求項９】
上記可動部に、上記液晶素子を加熱するための加熱手段を備え、
上記加熱手段に対して、上記基準電極に制御信号を供給するための弾性支持部材、および、上記フォーカシングコイルおよびトラッキングコイルの駆動信号を供給するための弾性支持部材とは異なる弾性支持部材を介して給電することを特徴とする請求項８に記載の光ピックアップ装置。
【請求項１０】
上記可動部が、５本の上記弾性支持部材によって支持されていることを特徴とする請求項８に記載の光ピックアップ装置。
【請求項１１】
上記可動部が、６本の上記弾性支持部材によって支持されていることを特徴とする請求項１〜９のいずれかに記載の光ピックアップ装置。
【請求項１２】
請求項１〜１１のいずれかに記載の光ピックアップ装置を備えてなる光学式記録再生装置。
【発明の詳細な説明】
【技術分野】
【０００１】
本発明は、光ピックアップ装置に関するものであり、特に、円盤（ディスク）状記録媒体に対して光学的に情報を記録または再生する光ピックアップ装置であって、対物レンズアクチュエータの可動部に搭載される液晶素子によって収差を補正できる光ピックアップ装置に関する。
【背景技術】
【０００２】
従来、例えばＤＶＤ(digital video disc)やＣＤ（compact disc）等の光ディスク（光記録媒体、光情報記録媒体）から記録情報を読み取り可能な光学式ディスクプレーヤ（光学式記録再生装置）が広く用いられている。また、近年、さらに高密度な光ディスク（次世代高密度光ディスク）が求められており、その実現に向けた検討が進んでいる。
【０００３】
一般に、光ディスクにおける記録密度の向上には、読み取りに使用する光の短波長化および対物レンズの高開口数（ＮＡ；numerical aperture）化が有効であることが、よく知られている。
【０００４】
現在、次世代高密度光ディスクを記録再生するための光ピックアップ装置では、使用する光の波長を従来のＤＶＤにおける６５０ｎｍから４０５ｎｍに短波長化し、対物レンズの開口数を従来のＤＶＤにおける０．６から０．８５に高ＮＡ化することによって絞り込みスポットを微小化し、高記録密度化が図られている。
【０００５】
ところが、使用する波長の短波長化や、対物レンズの高ＮＡ化を図るためには、光ディスクにおける透過層厚さのばらつきによる球面収差が問題となる。
【０００６】
また、光ディスクの情報記録面を多層化して記録容量を増大させる場合には、各記録層までの透過層の違いによる球面収差が問題となる。
【０００７】
このような球面収差の影響を低減するために、従来、収差補正用の液晶素子が提案されている。すなわち、液晶のように、印加する電圧に応じて屈折率が変化する材料を用いて、透過光の位相を制御する光学素子（収差補正素子）が提案されている。さらに、対物レンズがトラッキング追従のためにトラック方向に移動した時の液晶素子の補正パターンと、対物レンズの光軸との位置ずれを回避するために、液晶素子と対物レンズとを一体駆動する手法が提案されている。この場合、対物レンズと収差補正用の液晶素子とを、フォーカシング駆動およびトラッキング駆動のためのアクチュエータにおける可動部の保持機構に組み込むことになる。
【０００８】
通常、収差補正用の液晶素子は、複数の領域に分割された制御電極と、各領域について共通の共通電極（基準電極）とを備えている。そして、各領域に印加する電圧を調整することによって透過するレーザ光の位相差を加減して収差を補正するようになっている。このため、制御電極の複数の領域に与える電位と共通電極に与える電位とを供給するため、液晶素子には少なくとも３本の給電線が必要である。
【０００９】
一方、アクチュエータにおける可動部は、導電性の弾性支持部材によって支持し、この弾性支持部材に給電線としての機能を兼ねさせることができる。このように、可動部を支持する弾性支持部材に、給電線としての機能を兼ねさせる場合、液晶素子を可動部に組み込むと、弾性支持部材の本数が増加する。このため、材料コスト、組立作業コスト、不良品の発生率が増大する。また、各弾性支持部材の性能のばらつきや、組立精度のばらつきなどによって可動体の姿勢がばらつき、液晶素子で補正できないチルトが発生する可能性もある。
【００１０】
そこで、例えば、特許文献１には、フォーカシングコイルおよびトラッキングコイルを駆動するための信号と、液晶素子を駆動するための信号とを、同一の金属線（弾性支持部材）を用いて供給する対物レンズ駆動装置が記載されている。
【００１１】
すなわち、特許文献１に記載の光ピックアップ装置では、液晶素子に接続する少なくとも３本の給電線と、アクチュエータをフォーカシングおよびトラッキング駆動するためのコイルへの給電線とを兼用することにより、アクチュエータ部への配線本数（弾性支持部材数）を低減している。
【特許文献１】特開２００１−２６６３９４号公報（公開日：２００１年９月２８日）
【発明の開示】
【発明が解決しようとする課題】
【００１２】
しかしながら、特許文献１に開示されている光ピックアップ装置のように、液晶素子に接続する給電線と、アクチュエータのフォーカシングコイルおよびトラッキングコイルへの給電線とを兼用する場合には、コイルと液晶素子という２つの負荷が同一信号線に接続されることになる。このため、液晶素子に接続する給電線が、フォーカシングサーボ系およびトラッキングサーボ系に対して、電気的に影響を及ぼす。
【００１３】
また、液晶素子に変わる収差補正素子として、例えばＰＬＺＴ（酸化鉛、ランタン、酸化ジルコニウム、酸化チタンのペブロスカイト構造の透過結晶体）のように、印加する電圧に応じて厚みが変化する素子を用いて、透過光の位相を制御する光学素子（収差補正素子）が考えられる。
【００１４】
しかしながら、このような印加する電圧に応じて厚みが変化する光学素子を用いて、透過光の位相を制御する場合であっても、光学素子に接続する給電線と、アクチュエータのフォーカシングコイルおよびトラッキングコイルへの給電線とを兼用する場合には、コイルと光学素子という２つの負荷が同一信号線に接続されることになる。このため、液晶素子を用いる場合と同様、このような光学素子に接続する給電線が、フォーカシングサーボ系およびトラッキングサーボ系に対して、電気的に影響を及ぼす。
【００１５】
特に、フォーカシングコイルおよびトラッキングコイルは定電流駆動するのが一般的であるが、これらのコイルを定電流駆動する場合には、収差補正素子の基準電極に印加する基準電位をフォーカシングコイルやトラッキングコイルへの給電線に直接接続することができない。
【００１６】
本発明は、上記の問題点に鑑みてなされたものであり、その目的は、アクチュエータにおけるフォーカシング駆動およびトラッキング駆動のための可動部に収差補正素子を搭載し、フォーカシングコイル、トラッキングコイル、収差補正素子への給電線としての機能を兼ねる導電性の弾性支持部材によって上記可動部を支持する光ピックアップ装置において、収差補正素子へ供給する制御信号のフォーカシングサーボあるいはトラッキングサーボに対する影響を低減し、かつ、弾性支持部材の数が少ない光ピックアップ装置を提供することにある。
【課題を解決するための手段】
【００１７】
本発明の光ピックアップ装置は、上記の課題を解決するために、光学的情報記録媒体に光ビームを照射して情報の記録または再生を行う装置に用いられ、対物レンズと、前記対物レンズに入射する光ビームの収差を補正する収差補正素子と、フォーカシングコイルと、トラッキングコイルとを備えた、導電性の弾性支持部材によって移動可能に支持される可動部を有し、上記フォーカシングコイルおよびトラッキングコイルの駆動信号と上記収差補正素子の制御信号とを、上記弾性支持部材を介して供給する光ピックアップ装置において、上記収差補正素子は、複数の制御電極からなる電極と、前記電極に対向する基準電極とを備え、上記各制御電極に対する制御信号を、他の信号と重畳させることによって、上記重畳させた他の信号と共通の弾性支持部材を介して供給し、上記基準電極に対する制御信号を、上記フォーカシングコイルおよびトラッキングコイルの駆動信号、および、上記各制御電極に対する制御信号、を供給するための弾性支持部材とは異なる弾性支持部材を介して供給することを特徴としている。
【００１８】
上記の構成によれば、収差補正素子の基準電極に対して電気的に専用の経路で制御信号を供給することができる。したがって、フォーカシングサーボあるいはトラッキングサーボに影響を与えることなく、収差補正素子に対して基準電極の電位を与えることができる。このため、フォーカシングサーボ系およびトラッキングサーボ系、収差補正素子の駆動を安定化させられる。
【００１９】
また、上記の構成によれば、上記各制御電極に対する制御信号を、他の信号と重畳させることによって、上記重畳させた他の信号と共通の弾性支持部材を介して供給する。このため、上記各制御電極に対する制御信号を、それぞれ別々の弾性支持部材を介して供給する場合に比べて、弾性支持部材の数を少なくできる。
【００２０】
したがって、上記の構成によれば、収差補正素子へ供給する制御信号のフォーカシングサーボあるいはトラッキングサーボに対する影響を低減し、かつ、弾性支持部材の数が少ない光ピックアップ装置を提供できる。
【００２１】
なお、上記収差補正素子は、印加する電圧に応じて屈折率が変化するものであってもよい。例えば、上記収差補正素子は、液晶素子であってもよい。
【００２２】
このように、印加する電圧に応じて屈折率が変化する収差補正素子を用いることにより、透過光の位相を制御し、収差の補正を行うことができる。
【００２３】
あるいは、上記収差補正素子は、印加する電圧に応じて厚さが変化するものであってもよい。例えば、上記収差補正素子は、ＰＬＺＴ素子であってもよい。なお、ＰＬＺＴとは、酸化鉛、ランタン、酸化ジルコニウム、酸化チタンのペブロスカイト構造の透明結晶体からなる無機物質の基板であり、電圧に応じて厚みが変化する材料である。
【００２４】
このように、印加する電圧に応じて厚さが変化する収差補正素子を用いても、透過光の位相を制御し、収差の補正を行うことができる。また、ＰＬＺＴ素子を用いる場合、ＰＬＺＴ上に電極を直接形成できるので、構成を簡略化できる。
【００２５】
また、上記各制御電極に対する制御信号を互いに重畳させ、上記フォーカシングコイルおよびトラッキングコイルの駆動信号を供給する弾性支持部材とは異なる、１本の弾性支持部材を介して供給するようにしてもよい。すなわち、上記他の信号とは、他の制御電極に対する制御信号であってもよい。
【００２６】
それゆえ、液晶素子の制御電極に供給する制御信号によって、フォーカシングサーボ系およびトラッキングサーボ系の周波数特性に影響を与えることがなく、サーボ帯域の低下を回避できる。
【００２７】
また、液晶素子の各制御電極に対する制御信号を、１本の弾性支持部材で供給するので、液晶素子の制御のために追加する弾性支持部材の本数が少ない。したがって、弾性支持部材の取り付け状態のばらつきによる対物レンズのチルト発生を抑制でき、良好な記録再生信号を得ることができる。
【００２８】
また、上記重畳させた上記各制御電極に対する制御信号を、上記基準電極に供給する制御信号に基づいて分離し、上記各制御電極に供給する駆動回路を、上記可動部に備えてもよい。
【００２９】
この場合、上記重畳させた上記各制御電極に対する制御信号は分離が容易なので、上記可動部に搭載する駆動回路を簡単な構成にできる。
【００３０】
また、上記各制御電極に対する制御信号を、上記フォーカシングコイルおよび／またはトラッキングコイルの駆動信号に重畳させ、上記重畳させた駆動信号と共通の弾性支持部材を介して供給するようにしてもよい。すなわち、上記他の信号とは、フォーカシングコイルおよび／またはトラッキングコイルの駆動信号であってもよい。
【００３１】
それゆえ、液晶素子の制御のために追加する弾性支持部材の本数を少なくできる。したがって、弾性支持部材の取り付けのばらつきによる対物レンズのチルト発生を抑制できる。
【００３２】
また、上記の構成において、上記可動部に上記液晶素子を加熱するための加熱手段を備え、上記加熱手段に対して、上記基準電極に制御信号を供給するための弾性支持部材、および、上記フォーカシングコイルおよびトラッキングコイルの駆動信号を供給するための弾性支持部材とは異なる弾性支持部材を介して給電するようにしてもよい。
【００３３】
それゆえ、消費電力の大きい加熱手段に対して、フォーカシングサーボあるいはトラッキングサーボに影響を与えることなく給電でき、サーボ系の安定化を図れる。
【００３４】
また、本発明の光ピックアップ装置は、上記可動部が、５本の上記弾性支持部材によって支持されていてもよい。あるいは、上記可動部が、６本の上記弾性支持部材によって支持されていてもよい。
【００３５】
それゆえ、弾性支持部材の本数が少なく、弾性支持部材の取り付けのばらつきによる対物レンズのチルト発生を抑制できる。
【００３６】
本発明の光学式記録再生装置は、上記の課題を解決するために、上記の光ピックアップ装置を備えてなる。
【００３７】
上記の構成によれば、液晶素子へ供給する制御信号のフォーカシングサーボあるいはトラッキングサーボに対する影響を低減し、かつ、弾性支持部材の数が少ない光ピックアップ装置を備えた光学式記録再生装置を提供できる。
【発明の効果】
【００３８】
以上のように、本発明の光ピックアップ装置は、上記収差補正素子が、複数の制御電極からなる電極と、前記電極に対向する基準電極とを備え、上記各制御電極に対する制御信号を、他の信号と重畳させることによって、上記重畳させた他の信号と共通の弾性支持部材を介して供給し、上記基準電極に対する制御信号を、上記フォーカシングコイルおよびトラッキングコイルの駆動信号、および、上記各制御電極に対する制御信号を供給するための弾性支持部材とは異なる弾性支持部材を介して供給する。
【００３９】
それゆえ、収差補正素子の基準電極に対して電気的に専用の経路で制御信号を供給することができるので、フォーカシングサーボあるいはトラッキングサーボに影響を与えることなく、収差補正素子に対して基準電極の電位を与えることができる。したがって、フォーカシングサーボ系およびトラッキングサーボ系、収差補正素子の駆動を安定化させられる。
【００４０】
また、上記各制御電極に対する制御信号を、他の信号と重畳させることによって、上記重畳させた他の信号と共通の弾性支持部材を介して供給するので、弾性支持部材の数を少なくできる。
【００４１】
したがって、収差補正素子へ供給する制御信号のフォーカシングサーボあるいはトラッキングサーボに対する影響を低減し、かつ、弾性支持部材の数が少ない光ピックアップ装置を提供できる。
【００４２】
本発明の光学式記録再生装置は、上記いずれかの光ピックアップ装置を備えてなる。
それゆえ、液晶素子へ供給する制御信号のフォーカシングサーボあるいはトラッキングサーボに対する影響を低減し、かつ、弾性支持部材の数が少ない光ピックアップ装置を備えた光学式記録再生装置を提供できる。
【発明を実施するための最良の形態】
【００４３】
〔実施の形態１〕
本発明の一実施の形態について、図１〜図４、図７を用いて説明する。
本実施の形態にかかる光ピックアップ装置（本光ピックアップ装置）は、光学式ディスクプレーヤ（光学式記録再生装置）に搭載され、光ディスクに対して光ビームを照射することによって情報を記録し、また、光ディスクに対して光ビームを照射し、その反射光を検出することによって光ディスクに記録された情報を再生するためのものである。
【００４４】
図７は、本光ピックアップ装置を備えてなる光学式ディスクプレーヤの概略構成図である。この図に示すように、上記の光学式ディスクプレーヤは、光ディスク３０をスピンドルモータ３１にて回転駆動し、本光ピックアップ装置にて、光ディスク３０への情報の書き込みまたは読み出しを行う。また、本光ピックアップ装置およびスピンドルモータ３１の制御は制御部３２で行われる。制御部３２は、本光ピックアップ装置から光ディスク３０への情報の書き込みまたは読み出しを行うための信号を制御する信号制御部３２ａや、スピンドルモータ３１および本光ピックアップ装置３０のサーボ系等の駆動を制御する駆動制御部３２ｂ等を含む。
【００４５】
図１は、本光ピックアップ装置の原理構成を示す概略構成図である。
この図に示すように、本光ピックアップ装置は、対物レンズ１０、１／４波長板１１、液晶素子（収差補正素子、収差補正機構）１２、アクチュエータ１３、ビームスプリッタ１４、回折格子１６、コリメータレンズ１７、半導体レーザ（光源）１８、集光レンズ１９、円柱レンズ２０、光検出器２１、駆動回路２２を備えている。また、本光ピックアップ装置は、光ディスク３０に対して情報を記録あるいは再生するものとする。
【００４６】
半導体レーザ１８は、波長λ＝４０５ｎｍの光ビームを出射する。この半導体レーザ１８から出射された光ビームは、コリメータレンズ１７によって平行光ビームとされる。そして、この平行光ビームは、回折格子１６でメインビームとトラッキング用の２つのサブビームとの３つの光ビームに分割される。
【００４７】
また、回折格子１６で分割された３つの光ビームは、ビームスプリッタ１４、液晶素子１２、１／４波長板１１をそれぞれ通過し、対物レンズ１０によって光ディスク３０の記録面（図示せず）上に集光される。
【００４８】
液晶素子１２は、駆動回路２２とアクチュエータ１３内部で電気配線されている。すなわち、液晶素子１２はアクチュエータ１３を介して駆動回路２２に電気的に接続されている。そして、駆動回路２２によって液晶素子１２の電極に印加する電圧を制御することで、本光ピックアップ装置は光ディスク３０の基板厚み誤差によって発生する球面収差を補正するようになっている。つまり、本光ピックアップ装置は、液晶素子１２によって、半導体レーザ１８から出射された光ビームの位相を制御して球面収差を補正するようになっている。なお、液晶素子１２の構成については後述する。
【００４９】
１／４波長板１１は、半導体レーザ１８から出射された光ビームを、直線偏光から円偏光に変換する。すなわち、半導体レーザ１８から出射された光ビームは直線偏光であるが、１／４波長板１１を通過することによって円偏光に変換される。これにより、光ディスク３０上に集光される光ビームは円偏光となっている。
【００５０】
対物レンズ１０としては、開口数ＮＡ＝０．８５のものが使用される。なお、本実施の形態では対物レンズ１０が一枚のレンズで構成されているが、これに限らず、複数（例えば２枚）のレンズを組合せて構成されたものを用いてもよい。
【００５１】
また、液晶素子１２、１／４波長板１１、対物レンズ１０は、アクチュエータ１３に備えられた保持機構に一体的に保持されており、磁石やコイルを用いてフォーカシング方向およびトラッキング方向の２方向に一体駆動されるようになっている。すなわち、対物レンズ１０は、アクチュエータ１３によってフォーカシングサーボ、トラッキングサーボがかけられており、光ディスク３０の面ぶれや外乱などがある場合でも、光ディスク３０との位置関係が一定に保たれるようになっている。なお、アクチュエータ１３の構造については後述する。
【００５２】
一方、光ディスク３０で反射された光ビームは、再び対物レンズ１０に入射して、１／４波長板１１および液晶素子１２を通過し、ビームスプリッタ１４で反射される。このビームスプリッタ１４で反射された光ビームは、集光レンズ１９および円柱レンズ２０を通過して、光検出器２１に入射する。そして、この光検出器２１において、フォーカシング誤差信号、トラッキング誤差信号、および、情報再生信号が検出される。
【００５３】
ここで、光ディスク３０から反射した光ビームは円偏光であるが、１／４波長板１１を通過することにより、再び、直線偏光に変換される。ただし、１／４波長板１１を通過した反射光ビームの偏光方向は、半導体レーザ１８から１／４波長板１１に至る往路における光ビームの偏光方向と直交している。
【００５４】
また、光検出器２１には、低ノイズ化のためにアンプが内蔵されており、光検出器２１に入射した光ビームは光電変換後に電流電圧変換がなされて出力される。また、本実施の形態では、フォーカシング誤差信号は非点収差法、トラッキング誤差信号は差動プッシュプル法を用いて検出するようになっている。
【００５５】
次に、液晶素子１２の構成について、図２（ａ）および図２（ｂ）を用いて説明する。図２（ａ）は、液晶素子１２の概略構成を示す断面図である。図２（ｂ）は電極引出部１０８の構成を説明するための平面図である。
【００５６】
図２（ａ）に示すように、液晶素子１２には、ガラス基板（基板）１００ａ，１００ｂ，１００ｃが、それぞれ略平行となるようにシール材１０１によって接着されており、液晶セルを形成している。なお、３枚のガラス基板のうち、中央に備えられるガラス基板１００ｃは、一端部が他の基板よりも基板面内方向に突き出した電極引出部１０８を備えている。電極引出部１０８において、ガラス基板１００ｃのガラス基板１００ａと対向する表面と、ガラス基板１００ｃのガラス基板１００ｂと対向する表面に、液晶素子１２と駆動回路２２を電気的に接続するための接続線（図示せず）を配線するための電極端子部１１１が形成されている。
【００５７】
シール材１０１は、エポキシ系樹脂を主成分とし、ガラス製のスペーサと、樹脂の表面に金などを被膜した導電性スペーサとを含んでいる。
【００５８】
ガラス基板１００ｃにおけるガラス基板１００ａと対向する表面には、ガラス基板１００ｃの表面側から順に、電極１０２ａ、配向膜１０４ａが形成されている。また、ガラス基板１００ｃにおけるガラス基板１００ｂと対向する表面には、ガラス基板１００ｃの表面側から順に、電極１０２ｂ、配向膜１０４ｂが形成されている。なお、電極１０２ａおよび１０２ｂは、後述する複数の給電部（制御電極）を備えている。
【００５９】
また、ガラス基板１００ａにおけるガラス基板１００ｃとの対向面には、ガラス基板１００ａ側から順に、電極（基準電極）１０５ａ、配向膜１０７ａが被膜されている。また、ガラス基板１００ｂにおけるガラス基板１００ｃとの対向面には、ガラス基板１００ｂ側から順に、電極（基準電極）１０５ｂ、配向膜１０７ｂが被膜されている。なお、液晶セルの外側表面、すなわち、ガラス基板１００ａおよび１００ｂにおける、ガラス基板１００ｃとの対向面とは反対側の面には、反射防止膜（図示せず）が被膜されていてもよい。
【００６０】
電極１０２ａおよび１０２ｂは、ガラス基板１００ｃにおける電極引出部１０８で、接続線（図示せず）によって駆動回路２２と電気的に接続できるようにパターン配線されている。また、電極１０５ａおよび１０５ｂは、上述の金などを被膜した導電性スペーサを介して、ガラス基板１００ｃ上に形成された電極１０２ａおよび１０２ｂと電気的に接続されている。したがって、電極１０５ａ，１０５ｂは電極引出部１０８で接続線によって駆動回路２２と接続できる。
【００６１】
ガラス基板１００ａと１００ｃとの間（配向膜１０７ａと１０４ａとの間）に形成される液晶セル内部の領域には、液晶１１０ａが充填されている。また、ガラス基板１００ｂと１００ｃとの間（配向膜１０７ｂと１０４ｂとの間）に形成される液晶セル内部の領域には、液晶１１０ｂが充填されている。なお、液晶１００ａおよび１００ｂは、それぞれ、液晶分子（図示せず）が一方向に配向したホモジニアス配向の状態にある。ただし、液晶１１０ａおよび液晶１１０ｂにおける液晶分子は、互いに直交する方向に配向している。例えば、液晶１１０ａは半導体レーザ１８から１／４波長板１１に至る往路の光ビームに作用し、液晶１１０ｂは光ディスク３０からの反射光ビームに作用するように、それぞれの光ビームの偏光方向に配向方向を一致させている。すなわち、液晶１１０ａは、電圧印加時と電圧無印加時とで、半導体レーザ１８から１／４波長板１１に至る往路の光ビームに対する透過状態が変化するようになっている。また、液晶１１０ｂは、電圧印加時と電圧無印加時とで、光ディスク３０からの反射光ビームに対する透過状態が変化するようになっている。
【００６２】
また、液晶素子１２では、電極１０２ａおよび１０２ｂにおける面内の異なる位置に、異なる電位を供給する２つ以上の給電部（制御電極）が形成されている。また、電極１０５ａおよび１０５ｂは面内に一様な電位を供給する基準電極となっている。なお、これらの電極の構成については、後で詳しく述べる。
【００６３】
配向膜１０４ａ，１０４ｂ，１０７ａ，１０７ｂの材料は特に限定されるものではなく、配向膜材料として従来公知の材料を用いることができる。例えば、ポリイミド膜をラビングしたものや、シリカ膜を斜め蒸着したものなどを用いることができる。なお、液晶分子のプレチルト角が２〜１０゜となる材料を用いることが好ましい。
【００６４】
また、図１に示したように、本光ピックアップ装置では、光ビームが液晶素子１２を透過するようになっている。このため、ガラス基板１００ａ，１００ｂ，１００ｃ、および、電極１０２ａ，１０２ｂ，１０５ａ，１０５ｂは透明であることが好ましい。すなわち、基板１００ａ，１００ｂ，１００ｃはガラス基板に限るものではないが、透明な材質であることが好ましい。また、電極１０２ａ，１０２ｂ，１０５ａ，１０５ｂの材質は、特に限定されるものではないが、透過率が高い透明導電膜であることが好ましく、例えばＩＴＯ（インジウム−錫−酸化物合金）、酸化亜鉛膜などを使用できる。
【００６５】
図２（ｂ）を用いて、電極引出部１０８の構成を説明する。液晶素子１２はガラス基板１００ｃのガラス基板１００ａと対向する側と、ガラス基板１００ｃのガラス基板１００ｂと対向する側で対称な構成となっている。したがって、ここではガラス基板１００ｃのガラス基板１００ａと対向する側に簡略化して説明する。
【００６６】
電極１０２ａは３つの給電部（制御電極）を備えており、それぞれが電極端子部１１１ａ，１１１ｂ，１１１ｃにパターン配線されている。また、電極１０５ａは導電性スペーサを介して電極１０２ａに接続された後、電極端子部１１１ｄにパターン配線されている。したがって、液晶素子１２は電極端子部１１１ａ，１１１ｂ，１１１ｃ，１１１ｄにおいて、駆動回路２２と電気的に接続するための接続線（図示せず）を配線できる。
【００６７】
次に、アクチュエータ１３の構成について、図３を用いて説明する。図３は、アクチュエータ１３の概略構成を示す斜視図である。この図に示すように、アクチュエータ１３は、ベース基板５４、ホルダー５６、可動部４０などを備えている。
【００６８】
可動部４０は、対物レンズ１０、保持機構５０、支持基板５１、フォーカシングコイル５２、トラッキングコイル５３、１／４波長板１１（図３では図示せず）、液晶素子１２（図３では図示せず）、駆動回路２２（図３では図示せず）からなる。
【００６９】
対物レンズ１０は、略直方体形状からなる保持機構５０によって、可動部４０の略中央に保持されている。支持基板５１は、保持機構５０における対向する一対の側面に備えられている。フォーカシングコイル５２およびトラッキングコイル５３は、保持機構５０における、支持基板５１が備えられる側面とは異なる、対向する一対の側面に設けられた凹部に固着されている。１／４波長板１１、液晶素子１２、駆動回路２２は、保持機構５０の下部（ベース基板５４側）に取り付けられている。
【００７０】
保持機構５０の対向する一対の側面に設けられた支持基板５１の一方における側方には、保持機構５０をベース基板５４に対してフォーカシング方向およびトラッキング方向に移動可能に支持するための弾性支持部材５５ａ，５５ｂ，５５ｃの一端が、半田によって固着されている。また、他方の支持基板５１における側方には、保持機構５０をベース基板５４に対してフォーカシング方向およびトラッキング方向に移動可能に支持するための弾性支持部材５５ｄ，５５ｅ，５５ｆの一端が、半田によって固着されている。なお、弾性支持部材５５ａ〜５５ｆは、導電性を示す材料からなる。
【００７１】
また、弾性支持部材５５ａ〜５５ｆの他端は、ベース基板５４に対して固定されたホルダー５６に固着されている。なお、ベース基板５４の一端部には、基板面に略垂直に突き出した立設部５９が設けられており、この立設部５９にホルダー５６が固定されている。
【００７２】
また、ベース基板５４上における保持機構５０の凹部には、略Ｕ字形の溝部を有するヨーク５７が載置されている。より詳細には、ヨーク５７の略Ｕ字形の溝部における対向する壁面が、保持機構５０の側面（凹部の底面）に対向するように載置されている。また、ヨーク５７における、保持機構５０から遠い側の内壁面には永久磁石５８が固着されている。また、ヨーク５７と永久磁石５８により形成された磁気回路の磁気ギャップ中に、フォーカシングコイル５２およびトラッキングコイル５３が配置されている。
【００７３】
フォーカシングコイル５２およびトラッキングコイル５３の端子は、駆動回路２２および導線群６０を介して、支持基板５１に固着された導電性の弾性支持部材５５ａ,５５ｂ,５５ｄ，５５ｅに電気的に接続されている。
【００７４】
また、液晶素子１２における電極１０２ａ，１０２ｂ，１０５ａ，１０５ｂは、駆動回路２２および導線群６０を介して、支持基板５１に固着された導電性の弾性支持部材５５ｃ，５５ｆに電気的に接続されている。
【００７５】
このような構成からなるアクチュエータ１３において、フォーカシングコイル５２およびトラッキングコイル５３に、弾性支持部材５５ａ，５５ｂ，５５ｄ，５５ｅを介して駆動電流を流すことにより、可動部４０を、フォーカシング方向およびトラッキングコイル方向にそれぞれ独立して駆動することができる。なお、フォーカシングコイル５２およびトラッキングコイル５３の駆動電流は、本光ピックアップ装置が備えられる光学式ディスクプレーヤにおける制御部３２によって供給される。
【００７６】
また、駆動回路２２に、弾性支持部材５５ｃ，５５ｆを介して制御信号を給電することにより、駆動回路２２は液晶素子１２を駆動するための駆動電圧を生成し、生成した駆動電圧を液晶素子１２における電極１０２ａ，１０２ｂ，１０５ａ，１０５ｂ（制御電極２００ａ〜２００ｃおよび基準電極２０１）に供給できる。なお、液晶素子１２に供給される制御信号は、本光ピックアップ装置が備えられる光学式ディスクプレーヤにおける制御部３２によって供給される。
【００７７】
次に、図４を用いて駆動回路２２および液晶素子１２における各電極の構成について説明する。図４は、駆動回路２２の回路構成および液晶素子１２における各電極の電極パターンを説明するための説明図である。なお、図４において、電極パターン２００は液晶素子１２における電極１０２ａ，１０２ｂの電極パターンを模式的に示しており、電極パターン２０１は液晶素子１２における電極１０５ａ，１０５ｂの電極パターンを模式的に示している。
【００７８】
電極パターン２００に示すように、液晶素子１２の電極１０２ａ，１０２ｂは、光束（光ビーム）が通過する領域をほぼ円環状の複数の領域に分割されている。なお、電極パターン２００では、円環状に分割された複数の領域の一部同士が結合されている。すなわち、複数の円環形状からなる領域のうち最外周となる領域と、最内周（電極パターン２００がなす円の中心部）の領域とにおける一部同士が結合されて、制御電極２００ａを形成している。また、最外周から２番目の領域と、最内周から２番目の領域とにおける一部同士が結合されて、制御電極２００ｃを形成している。また、制御電極２００ｃにおける、一部同士が結合される２つの領域に挟まれた領域には、制御電極２００ｂが形成されている。なお、制御電極２００ａ，２００ｂ，２００ｃは、それぞれ他の制御電極と電気的に分離されている。
【００７９】
一方、電極パターン２０１に示すように、液晶素子１２の電極１０５ａおよび１０５ｂは、光束を通過する領域に一様な電位を与えるための電極パターンとなっている。
【００８０】
液晶素子１２では、電極パターン２０１（電極１０５ａおよび１０５ｂ）の電位に対する電極１０２ａおよび１０２ｂにおける制御電極２００ａ，２００ｂ，２００ｃの電位として、制御電極２００ａに最低電位または最高電位を与え、制御電極２００ｂに最高電位または最低電位を与え、制御電極２００ｃにそれらの中間電位を与える。これにより、光束の位相を階段状に変化させることができる。また、制御電極２００ａ，２００ｂ，２００ｃに印加する電位を変化させることによって、光束の位相を制御することができ、これを用いて基板厚み誤差で発生する球面収差などの収差を補正することができる。
【００８１】
駆動回路２２は、図４に示すように、検波回路２１０、ハイパスフィルタ（ＨＰＦ）２１１，２１２、分圧抵抗２１３，２１４を備えている。
駆動回路２２における入力端子２２０は、導線群６０を介して弾性支持部材５５ａに接続されている。すなわち、フォーカシングコイル５２の一方の端子が、入力端子２２０および導線群６０を介して弾性支持部材５５ａに電気的に接続されている。また、フォーカシングコイル５２の他方の端子が、入力端子２２１および導線群６０を介して弾性支持部材５５ｄに電気的に接続されている。また、トラッキングコイル５３の一方の端子が、入力端子２２２および導線群６０を介して弾性支持部材５５ｂに電気的に接続され、トラッキングコイル５３の他方の端子が、入力端子２２３および導線群６０を介して弾性支持部材５５ｅに電気的に接続されている。
【００８２】
駆動回路２２の入力端子２２４には、基準電位（基準電圧）Ｖｏに対して正側波高値Ｖａ、負側波高値Ｖｂの波高値を有する単一周波数の矩形波信号が入力される。なお、入力端子２２４に入力された矩形波信号は、検波回路２１０に入力される。
【００８３】
また、入力端子２２５には基準電位Ｖｏが入力される。そして、入力端子２２５に入力された信号（基準電位Ｖｏ）は、検波回路２１０、ＨＰＦ２１１，２１２、基準電極２０１に供給される。
【００８４】
検波回路２１０は、入力端子２２４に入力された単一周波数の矩形波信号の正側検波および負側検波（分離）を行い、それぞれの検波信号を出力する。そして、ＨＰＦ２１１は検波回路２１０の出力である正側検波信号の低域成分を除去する。一方、ＨＰＦ２１２は検波回路２１０の出力である負側検波信号の低域成分を除去する。すなわち、上記ＨＰＦ２１１および２１２の出力信号は、振幅ＶａおよびＶｂであり、互いに同位相の単一周波数の矩形信号に変換される。
【００８５】
ＨＰＦ２１１の出力は、分圧抵抗２１３の一方の端子に接続されるとともに、液晶素子１２の電極１０２ａおよび１０２ｂにおける制御電極２００ｂに接続される。また、ＨＰＦ２１２の出力は、分圧抵抗２１４の一方の端子に接続されるとともに、液晶素子１２の電極１０２ａおよび１０２ｂにおける制御電極２００ａに接続される。また、分圧抵抗２１３および２１４の他方の端子同士は、互いに接続されるとともに、液晶素子１２の電極１０２ａおよび１０２ｂにおける制御電極２００ｃに接続される。なお、上記したように、入力端子２２５に入力された信号は、そのまま液晶素子１２の電極パターン２０１（電極１０５ａおよび１０５ｂ）にも供給される。
【００８６】
このような構成により、液晶素子１２の制御電極２００ｂには振幅Ｖａの単一周波数の矩形波信号（交流信号）が、また、制御電極２００ａには振幅Ｖｂの単一周波数の矩形波信号（交流信号）が印加（供給）される。また、分圧抵抗２１３および２１４の抵抗値をそれぞれＲａ，Ｒｂとすると、液晶素子１２の制御電極２００ｃには、振幅ＶａとＶｂとの差を分圧抵抗２１３および分圧抵抗２１４により分圧された中間電位（中間電圧）（ＲａＶｂ＋ＲｂＶａ）／（Ｒａ＋Ｒｂ）が印加される。なお、フォーカシングコイル５２には入力端子２２０，２２１が接続され、トラッキングコイル５３には入力端子２２２および２２３が接続されており、各入力端子に入力された駆動電圧が、両コイルにそのまま供給される。
【００８７】
以上のように、本光ピックアップ装置では、液晶素子１２の基準電極１０５ａおよび１０５ｂに供給する基準電位Ｖｏを、１本の弾性支持部材（弾性支持部材５５ｆ）によって供給している。このため、アクチュエータ１３のフォーカシングサーボあるいはトラッキングサーボに影響を与えることなく、基準電極２０１に基準電位Ｖｏを与えることができる。したがって、サーボ系および液晶素子１２の駆動を安定化させることができる。
【００８８】
また、従来、フォーカシングコイルおよびトラッキングコイルへの駆動信号と液晶素子への制御信号とを、周波数的に分離し、互いに重畳させて給電線に供給する場合には、アクチュエータ部に設けられる、コイル駆動信号と液晶素子の制御信号とを分離するためのフィルター回路により、フォーカシングサーボ系およびトラッキングサーボ系の位相変化が引き起こされ、確保可能なサーボ帯域が低下するといった問題があった。
【００８９】
これに対して、本光ピックアップ装置では、液晶素子１２の電極１０２ａおよび１０２ｂにおける複数の給電部（制御電極２００ａ，２００ｂ，２００ｃ）に供給する制御信号を合成して（重畳させて）、１本の弾性支持部材（弾性支持部材５５ｃ）により供給している。このため、アクチュエータ１３のフォーカシングサーボ系およびトラッキングサーボ系の周波数特性に影響を与えることがなく、サーボ帯域の低下を回避できる。
【００９０】
また、従来、一般に液晶素子は交流駆動されるが、液晶素子の制御信号を、フォーカシングサーボ帯域およびトラッキングサーボ帯域に必要な周波数帯域外の高周波数領域に変換して供給するために、アクチュエータの保持機構に搭載する駆動回路において信号分離が必要で有り、駆動回路が複雑になるという問題があった。
【００９１】
これに対して、本光ピックアップ装置では、フォーカシング駆動信号やトラッキング駆動信号と液晶素子の制御信号とを周波数的に分離する必要がない。このため、アクチュエータ１３の保持機構５０に搭載される駆動回路２２を簡単な構成にできる。すなわち、上記のように合成した制御電極２００ａ，２００ｂ，２００ｃに供給する制御信号は、分離が容易なので、アクチュエータ１３の保持機構に搭載する駆動回路を簡単な構成にできる。
【００９２】
また、従来、フォーカシングコイルおよびトラッキングコイルの駆動電圧を供給する弾性支持部材（給電線）と液晶素子の制御信号とを別々の弾性支持部材を介して供給する場合、フォーカシングコイルおよびトラッキングコイルに駆動電圧を供給するために４本、液晶素子の複数の給電部を有する電極に最高電圧および最低電圧を供給するために少なくとも２本、基準電極に基準電圧を供給するために１本の合計７本以上の弾性支持部材が必要であった。このため、各弾性支持部材の取り付け状態のばらつきによって対物レンズのチルトが発生する、あるいは、アクチュエータ１３の組立て性が低下する、といった問題があった。
【００９３】
これに対して、本光ピックアップ装置では、液晶素子１２の電極１０２ａおよび１０２ｂにおける制御電極２００ａ〜２００ｃのそれぞれに対して、１本の弾性支持部材を用いて制御信号を供給する。すなわち、本光ピックアップ装置では、フォーカシングコイル５２およびトラッキングコイル５３の駆動電圧を供給する弾性支持部材５５ａ，５５ｂ，５５ｄ，５５ｅと、液晶素子１２の制御信号を供給する弾性支持部材５５ｃ，５５ｆの、合計６本の弾性支持部材を備えるだけでよい。このため、各弾性支持部材の取り付け状態のばらつきによって対物レンズ１０のチルトが発生することを抑制できる。また、アクチュエータ１３の組立て性の低下を抑えられる。
【００９４】
なお、本光ピックアップ装置は、液晶素子１２の電極１０２ａ，１０２ｂの電極パターン２００は、光束を通過する領域をほぼ円環状の５つの領域に分割し、分割した領域における一部同士を結合して制御電極２００ａおよび２００ｃを構成しているが、これに限るものではない。例えば、光束を通過する領域の円環状の分割数を、さらに多くとってもよい。この場合には、電気的に分離される制御電極の数が多くなるが、駆動回路２２に備える分圧抵抗の数を多くすることで、最高電位と最低電位との間の中間電位を複数得ることができる。
【００９５】
また、本光ピックアップ装置では、駆動回路２２の分圧抵抗２１３，２１４が駆動回路２２内に設けられているが、これに限らず、例えば、薄膜抵抗の形態で液晶素子１２に組み込んでもよい。
【００９６】
また、本光ピックアップ装置では、液晶素子１２における電極１０２ａおよび１０２ｂの電極パターン２００を、球面収差を補正するためのパターンとしたが、これに限るものではない。すなわち、球面収差用に限らず、如何なる種類の収差補正に対応した電極パターンであっても、同様の効果を得ることができる。
【００９７】
また、本光ピックアップ装置では、シール材１０１について、エポキシ系樹脂を主成分とし、ガラス製のスペーサと、樹脂の表面に金などを被膜した導電性スペーサとを含んでいるものを用いたが、これに限るものではない。例えば、他の樹脂を主成分とするものであってもよい。また、ガラス製のスペーサに限らず、例えばプラスチック製のスペーサを含んでもよい。また、導電性スペーサについても、金を被膜したものに限らず、例えば他の金属を被膜してもよい。あるいは、導電性スペーサに代えて、電極１０５ａ，１０５ｂを駆動回路２２と電気的に接続するための他の手段を備えるようにしてもよい。
【００９８】
また、本光ピックアップ装置では、液晶１１０ａ，１１０ｂについて、液晶分子が一方向に配向したホモジニアス配向の状態にあるものとしたが、これに限るものではなく、印加する電圧に応じて、光ビームに対する透過状態を変化させられるものであればよい。
【００９９】
また、本実施の形態では、印加する電圧に応じて屈折率が変化する収差補正素子として、液晶素子１２を用いる構成について説明したが、本光ピックアップ装置に適用可能な収差補正素子はこれに限るものではなく、印加する電圧に応じて透過光の位相を制御できるものであればよい。
【０１００】
〔実施の形態２〕
本発明の他の実施の形態について、図５および図６を用いて説明する。なお、説明の便宜上、実施の形態１にかかる光ピックアップ装置と同じ部材および同じ製造方法については、その説明を一部省略する。また、説明を省略する部材には、実施の形態１と同じ符号を用いる。
【０１０１】
本実施の形態にかかる光ピックアップ装置は、実施の形態１にかかる光ピックアップ装置と同様、光学式ディスクプレーヤ（光学式記録再生装置）に搭載されるものである。
【０１０２】
ただし、本実施の形態にかかる光ピックアップ装置は、液晶素子の低温での応答時間を速くするために、液晶素子を加熱するためのヒーター部（加熱手段）を備えている。
なお、このようにヒーター部を備える場合、通常、フォーカシングコイルおよびトラッキングコイルへの駆動信号とヒーターへの給電信号とを重畳させると、ヒーターへの給電は消費電力が大きいので、フォーカシングサーボ系およびトラッキングサーボ系に対して電気的な影響を及ぼすことが懸念される。しかしながら、本実施の形態にかかる光ピックアップ装置では、後述するように、ヒーターへの給電が、フォーカシングサーボ系およびトラッキングサーボ系に対して電気的な影響を与えないようになっている。
【０１０３】
図５は、本実施の形態にかかる光ピックアップ装置に備えられる液晶素子１２ａの原理構成を示す概略構成図である。この図に示すように、液晶素子１２ａは、実施の形態１における液晶素子１２に加えて、液晶１１０ａおよび１１０ｂを加熱するためのヒーター部１２０ａおよび１２０ｂを備えている。
なお、このヒーター部１２０ａおよび１２０ｂは、基板１００ａおよび基板１００ｂの外側（基板１００ｃとの対向面とは反対側）の面にＩＴＯ（インジウム−錫−酸化物合金）膜が蒸着されてなる。また、ヒーター部１２０ａおよび１２０ｂは、光束の通過を妨げない領域に備えられており、電流を通電することで発熱するようになっている。
【０１０４】
図６は、本実施の形態にかかる光ピックアップ装置に備えられる駆動回路２２ａの回路構成を説明するための説明図である。
この図に示すように、駆動回路２２ａは、ハイパスフィルタ（ＨＰＦ）２１５，２１６、分圧抵抗２１３，２１４から構成される。なお、駆動回路２２ａは、実施の形態１にかかる駆動回路２２と異なり、検波回路２１０が備えられていない。
【０１０５】
駆動回路２２ａにおける入力端子２２０，２２１は、フォーカシングコイル５２に接続されている。また、入力端子２２２，２２３は、トラッキングコイル５３に接続されている。すなわち、フォーカシングコイル５２の一方の端子が、入力端子２２０および導線群６０を介して弾性支持部材５５ａに電気的に接続され、フォーカシングコイル５２の他方の端子が、入力端子２２１および導線群６０を介して弾性支持部材５５ｄに電気的に接続されている。また、トラッキングコイル５３の一方の端子が、入力端子２２２および導線群６０を介して弾性支持部材５５ｂに電気的に接続され、トラッキングコイル５３の他方の端子が、入力端子２２３および導線群６０を介して弾性支持部材５５ｅに電気的に接続されている。
【０１０６】
また、入力端子２２０および２２２は、ＨＰＦ２１５および２１６にもそれぞれ接続されている。
【０１０７】
入力端子２２６は、ヒーター部１２０（ヒーター部１２０ａおよびヒーター部１２０ｂ）の一端に接続されている。すなわち、ヒーター部１２０の一端が、入力端子２２６および導線群６０を介して、弾性支持部材５５ｆに電気的に接続されている。
【０１０８】
入力端子２２７は、ヒーター部１２０の他端に接続されている。なお、入力端子２２７は、ＨＰＦ２１５、ＨＰＦ２１６、電極パターン２０１（電極（基準電極）１０５ａ，１０５ｂ）にも接続されている。すなわち、ヒーター部１２０の他端、ＨＰＦ２１５、ＨＰＦ２１６、電極１０５ａおよび１０５ｂが、入力端子２２７および導線群６０を介して、弾性支持部材５５ｃに電気的に接続されている。
【０１０９】
ＨＰＦ２１５の出力部は、分圧抵抗２１３の一方の端子に接続されるとともに、液晶素子１２ａの制御電極２００ｂに接続されている。また、ＨＰＦ２１６の出力部は、分圧抵抗２１４の一方の端子に接続されるとともに、液晶素子１２ａの制御電極２００ａに接続される。また、分圧抵抗２１３および２１４の他方の端子同士は互いに接続されるとともに、液晶素子１２ａの制御電極２００ｃに接続されている。
【０１１０】
このような構成からなる駆動回路２２ａにおいて、入力端子２２０には、フォーカシングコイル５２の駆動信号に、液晶素子１２ａの制御電極２００ｂに与える単一周波数の矩形波信号を重畳した信号が入力される。ここで、液晶素子１２ａの制御電極２００ａに与える矩形波信号は、振幅Ｖａをもち、その周波数はフォーカシングサーボ帯域に影響を与えないように、数十ＫＨｚとされている。
【０１１１】
また、入力端子２２２にはトラッキングコイル５３の駆動信号に、液晶素子１２ａの制御電極２００ａに与える単一周波数の矩形波信号を重畳した信号が入力される。ここで、液晶素子１２ａの制御電極２００ａに与える矩形波信号は、制御電極２００ｂに与える矩形波信号と同一周波数、同位相で、振幅Ｖｂである。すなわち、液晶素子１２ａの制御電極２００ａに与える電位がトラッキングコイル駆動信号と重畳され、制御電極２００ｂに与える電位がフォーカシングコイル駆動信号に重畳される。
【０１１２】
入力端子２２６および２２７には、ヒーター部１２０を加熱するための駆動信号が入力される。また、入力端子２２７には、液晶素子１２ａの基準電位Ｖｏが与えられる。
【０１１３】
ＨＰＦ２１５は、入力端子２２０への入力信号から、矩形波信号のみをフィルタリングして、液晶素子１２ａの制御電極２００ｂに与える単一周波数として出力する。また、ＨＰＦ２１６は、入力端子２２２の入力信号から、矩形波信号のみをフィルタリングして、液晶素子１２ａの制御電極２００ａに与える単一周波数として出力する。すなわち、ＨＰＦ２１５，２１６の出力信号は、振幅ＶａおよびＶｂを持ち、互いに同位相の単一周波数の矩形信号に変換される。
【０１１４】
これにより、液晶素子１２ａの制御電極２００ｂには振幅Ｖａの単一周波数の矩形波信号（交流信号）が入力される。また、制御電極２００ａには振幅Ｖｂの単一周波数の矩形波信号（交流信号）が入力（印加）される。さらに、分圧抵抗２１３および２１４の抵抗値をそれぞれＲａ，Ｒｂとすると、液晶素子１２ａの制御電極２００ｃには振幅ＶａおよびＶｂの差を分圧抵抗２１３と分圧抵抗２１４により分圧した中間電位（ＲａＶｂ＋ＲｂＶａ）／（Ｒａ＋Ｒｂ）が入力される。
【０１１５】
以上のように、本実施の形態にかかる光ピックアップ装置では、液晶素子１２ａを加熱するためのヒーター部１２０ａおよび１２０ｂへの給電を、フォーカシングコイル５２およびトラッキングコイル５３の駆動信号とは異なる弾性支持部材を介して行っている。このため、消費電力の大きいヒーター１２０ａおよび１２０ｂに対して、アクチュエータ１３のフォーカシングサーボあるいはトラッキングサーボに影響を与えることなく給電でき、サーボ系の安定化を図れる。
【０１１６】
また、本実施の形態にかかる光ピックアップ装置では、液晶素子１２ａの基準電極１０５ａおよび１０５ｂ（電極パターン２０１）に供給する基準電位Ｖｏを、フォーカシングコイル５２およびトラッキングコイル５３の駆動信号とは異なる弾性支持部材（弾性支持部材５５ｆ）によって供給している。このため、アクチュエータ１３のフォーカシングサーボあるいはトラッキングサーボに影響を与えることなく、基準電極１０５ａおよび１０５ｂに基準電位Ｖｏを与えることができる。したがって、サーボ系および液晶素子１２の駆動を安定化させることができる。
【０１１７】
また、本実施の形態にかかる光ピックアップ装置では、液晶素子１２ａの電極パターン２００（電極１０２ａおよび電極１０２ｂ）における複数の給電部（制御電極２００ａ，２００ｂ，２００ｃ）に対する制御信号を、フォーカシングコイル５２またはトラッキングコイル５３の駆動信号に重畳させることにより、両コイルに対する駆動信号と共通の弾性支持部材を介して入力している。
【０１１８】
このため、液晶素子１２ａの制御のために追加する弾性支持部材の本数が少ない。すなわち、本光ピックアップ装置では、フォーカシングコイル５２およびトラッキングコイル５３の駆動電圧と液晶素子１２の制御電極２００ａ，２００ｂ，２００ｃに対する制御信号とを供給する弾性支持部材５５ａ，５５ｂ，５５ｄ，５５ｅと、液晶素子１２の基準電極１０５ａ，１０５ｂに対する制御信号を供給する弾性支持部材５５ｃ，ヒーター部１２０に給電するための弾性支持部材５５ｆの、合計６本の弾性支持部材を備えるだけでよい。このため、弾性支持部材の取り付けのばらつきによる対物レンズ１０のチルト発生が抑制できる。また、アクチュエータ１３の組立て性の低下を抑えられる。
【０１１９】
なお、アクチュエータ部（アクチュエータ１３）でのコイル駆動信号（フォーカシングコイル５２およびトラッキングコイル５３の駆動信号）と、液晶素子１２ａの制御信号とを分離するためのフィルター回路（ＨＰＦ２１５および２１６）により、フォーカシングサーボ系およびトラッキングサーボ系の位相変化が発生するが、確保する必要があるサーボ帯域が低い場合には問題とならない。
【０１２０】
なお、液晶素子１２ａの電極パターン２００における複数の給電部（制御電極２００ａ，２００ｂ）に与える制御信号と、フォーカシングコイル駆動信号およびトラッキングコイル駆動信号との重畳は、上記の構成に限定されるものではなく、その他の組み合せ方でもよい。例えば、入力端子２２０をＨＰＦ２１６に接続し、入力端子２２２をＨＰＦ２１５に接続してもよい。あるいは、入力端子２２１および２２３を、ＨＰＦ２１５および２１６にそれぞれ接続してもよい。また、ＨＰＦ２１５を制御電極２００ａに接続し、ＨＰＦ２１６を制御電極２００ｂに接続してもよい。また、制御電極に与える制御信号を、フォーカシングコイル駆動信号またはトラッキングコイル駆動信号のいずれか一方にのみ重畳させてもよい。
【０１２１】
また、本実施の形態では、液晶素子１２ａに設けるヒーター部１２０ａおよび１２０ｂは、ガラス基板１００ａ，１００ｂにＩＴＯ膜を蒸着して形成するとしたが、これに限らず、他の発熱体、例えば、ヒーターコイル等を装着してもよい。また、ＩＴＯ膜、あるいは、他の発熱体などからなるヒーター部１２０ａおよび１２０ｂを、ガラス基板１００ａとガラス基板１００ｃの間、および、ガラス基板１００ｂとガラス基板１００ｃの間に設けてもよい。
【０１２２】
また、本実施の形態では、液晶素子１２ａにおける電極１０２ａ，１０２ｂの電極パターンである電極パターン２００は、光束を通過する領域をほぼ円環状の５つの領域に分割し、その一部同士を結合した電気的に分離された３つの制御電極２００ａ，２００ｂ，２００ｃからなるが、これに限るものではない。例えば、光束を通過する領域の円環状の分割数をさらに多くとってもよい。この場合には、電気的に分離される制御電極の数も多くなるが、駆動回路２２ａの分圧抵抗の数を多くすることで、最高電位と最低電位との間の中間電位を複数得ることができる。
【０１２３】
また、本実施の形態では、駆動回路２２ａの分圧抵抗２１３および２１４は、液晶素子１２ａと別に設けているが、これに限らず、例えば、薄膜抵抗の形態で液晶素子１２ａに組み込んでもよい。
【０１２４】
また、本実施の形態では、液晶素子１２ａにおける電極１０２ａおよび１０２ｂの電極パターン２００は、球面収差を補正するためのパターンとしたが、球面収差用に限らず、如何なる種類の収差補正に対応した電極パターンであっても同様の効果を得ることができる。
【０１２５】
また、本実施の形態にかかる光ピックアップ装置において、ヒーター部１２０ａおよび１２０ｂを設けない構成としてもよい。この場合、入力端子２２６および弾性支持部材５５ｃは不要となる。すなわち、弾性支持部材の数を、フォーカシングコイル５２およびトラッキングコイル５３の駆動電圧を供給する弾性支持部材４本と、液晶素子１２における基準電極１０５ａ，１０５ｂの制御信号を供給する弾性支持部材の計５本とすることができる。なお、弾性支持部材の数を偶数とすることによって、支持機構としての対称性を得たい場合には、信号入力に用いないダミーの弾性支持部材を備えるようにしてもよい。
【０１２６】
また、本実施の形態では、印加する電圧に応じて屈折率が変化する収差補正素子として、液晶素子１２ａを用いる構成について説明したが、本光ピックアップ装置に適用可能な収差補正素子はこれに限るものではなく、印加する電圧に応じて透過光の位相を制御できるものであればよい。
【０１２７】
〔実施の形態３〕
本発明の他の実施の形態について、図８（ａ）および図８（ｂ）を用いて説明する。
本実施の形態にかかる光ピックアップ装置は、実施の形態１および２にかかる光ピックアップ装置と同様、光学式ディスクプレーヤに搭載され、光ディスクに対して光ビームを照射することによって情報を記録し、また、光ディスクに対して光ビームを照射し、その反射光を検出することによって光ディスクに記録された情報を再生するためのものである。
【０１２８】
ただし、本実施の形態に係る光ピックアップ装置は、収差補正素子として、液晶のように印加する電圧に応じて屈折率が変化する材料ではなく、印加する電圧に応じて厚みが変化する光学素子を用いて透過光の位相を制御する点が実施の形態１および２とは異なる。
【０１２９】
なお、本実施の形態に係る光ピックアップ装置の構成は、実施の形態１および２のいずれの構成にも適用できるが、本実施の形態では、実施の形態１の構成に適用する場合について説明する。また、説明の便宜上、実施の形態１にかかる光ピックアップ装置と同じ部材および同じ製造方法については、その説明を省略する。また、説明を省略する部材には、実施の形態１と同じ符号を用いる。
【０１３０】
本実施の形態にかかる収差補正素子であるＰＬＺＴ素子の構成について説明する。なお、ＰＬＺＴは、酸化鉛、ランタン、酸化ジルコニウム、酸化チタンのペブロスカイト構造の透明結晶体からなる無機物質の基板であり、電圧に応じて厚みが変化する材料である。すなわち、本実施の形態に係る光ピックアップ装置では、ＰＬＺＴ基板に印加する電圧を変化させることによって、このＰＬＺＴ基板の厚さを変化させ、透過光の位相を制御するようになっている。
【０１３１】
本実施の形態に係る光ピックアップ装置に備えられる光学素子（収差補正素子）であるＰＬＺＴ素子１２ｂは、実施の形態１にかかる液晶素子１２と同様、駆動回路２２とアクチュエータ１３内部で電気配線されている。すなわち、ＰＬＺＴ素子１２ｂはアクチュエータ１３を介して駆動回路２２に電気的に接続されている。そして、駆動回路２２によってＰＬＺＴ素子１２ｂの電極に印加する電圧を制御することで、本実施の形態にかかる光ピックアップ装置は光ディスク３０の基板厚み誤差によって発生する球面収差を補正するようになっている。つまり、本実施の形態にかかる光ピックアップ装置は、ＰＬＺＴ素子１２ｂによって、半導体レーザ１８から出射された光ビームの位相を制御して球面収差を補正するようになっている。
【０１３２】
図８（ａ）は、ＰＬＺＴ素子１２ｂの概略構成を示す断面図である。図８（ｂ）は電極引出部１０８の構成を説明するための平面図である。
【０１３３】
図８（ａ）に示すように、ＰＬＺＴ素子１２ｂは、２枚のＰＬＺＴ基板３０２ａおよび３０２ｂを備えている。また、ＰＬＺＴ基板３０２ａの両表面には、複数の給電部（制御電極）を備えた電極１０２ａと電極（基準電極）１０５ａとがそれぞれ被膜されている。同様に、ＰＬＺＴ基板３０２ｂの両表面には、複数の給電部（制御電極）を備えた電極１０２ｂと電極（基準電極）１０５ｂとがそれぞれ被膜されている。
【０１３４】
そして、ＰＬＺＴ基板３０２ａの電極１０２ａが形成された面が、ガラス基板３００の一方の面に導電性接着剤によって接着されており、ＰＬＺＴ基板３０２ｂの電極１０２ｂが形成された面が、ガラス基板３００の他方の面に導電性接着剤によって接着されている。
【０１３５】
なお、ガラス基板３００の一端部は、ＰＬＺＴ基板３０２ａおよび３０２ｂが貼りあわされた部分よりも、基板面内方向に突き出した電極引出部１０８を備えている。そして、電極引出部１０８における両表面に、ＰＬＺＴ素子１２ｂと駆動回路２２を電気的に接続するための接続線（図示せず）を配線するための電極端子部１１１が形成されている。
【０１３６】
すなわち、ガラス基板３００の表面に形成されたパターン配線（図示せず）により電極１０２ａ，１０２ｂは電極端子部１１１と電気的に接続されている。また、電極１０５ａ，１０５ｂは接続線３０３ａ，３０３ｂにより電極端子部１１１に配線されている。
【０１３７】
また、電極１０５ａ，１０５ｂの上面（ＰＬＺＴ基板３０２ａ，３０２ｂと反対側の面）には、絶縁膜３０１ａ，３０１ｂがそれぞれ被膜されている。なお、絶縁膜３０１ａ，３０２ｂの上面に、反射防止膜（図示せず）をさらに被膜してもよい。
【０１３８】
このように、ＰＬＺＴ素子１２ｂでは、ＰＬＺＴ基板上に電極を直接形成できるので、液晶素子１２と比較して、ガラス基板１００ａ，１００ｂとシール材１０１とが不要になる。また、ＰＬＺＴ素子１２ｂでは、配向処理も不要なため、配向膜１０４ａ，１０４ｂ，１０７ａ，１０７ｂも不要である。したがって、ＰＬＺＴ素子１２ｂでは、液晶素子１２よりも構成を簡略化できる。
【０１３９】
図８（ｂ）を用いて、電極引出部１０８の構成を説明する。ＰＬＺＴ素子１２ｂはガラス基板３００の両面において対称な構成となっている。したがって、ここではＰＬＺＴ３０２ａ側に簡略化して説明する。
【０１４０】
電極１０２ａは３つの給電部（制御電極）を備えており、それぞれが電極端子部１１１ａ，１１１ｂ，１１１ｃにパターン配線されている。また、電極１０５ａは接続線３０３ａを介して電極１０２ａに接続された後、電極端子部１１１ｄにパターン配線されている。したがって、ＰＬＺＴ素子１２ｂは電極端子部１１１ａ，１１１ｂ，１１１ｃ，１１１ｄにおいて、駆動回路２２と電気的に接続するための接続線（図示せず）を配線できる。
【０１４１】
なお、本実施の形態にかかるその他の構成については、実施の形態１にかかる光ピックアップ装置と同様であるので、説明を省略する。
【０１４２】
以上のような構成からなるＰＬＺＴ素子１２ｂでは、電極パターン２０１（電極１０５ａおよび１０５ｂ）の電位に対する電極１０２ａおよび１０２ｂにおける制御電極２００ａ，２００ｂ，２００ｃの電位として、制御電極２００ａに最低電位または最高電位を与え、制御電極２００ｂに最高電位または最低電位を与え、制御電極２００ｃにそれらの中間電位を与える。これにより、ＰＬＺＴ基板３０２ａ，３０２ｂの厚さを変化させ、光束の位相を階段状に変化させることができる。また、制御電極２００ａ，２００ｂ，２００ｃに印加する電位を変化させることによって、ＰＬＺＴ基板３０２ａ，３０２ｂの厚さを制御し、光束の位相を制御することができる。したがって、基板厚み誤差で発生する球面収差などの収差を補正することができる。
【０１４３】
また、実施の形態１と同様、ＰＬＺＴ素子１２ｂの基準電極１０５ａおよび１０５ｂに供給する基準電位Ｖｏを、１本の弾性支持部材（弾性支持部材５５ｆ）によって供給しているので、アクチュエータ１３のフォーカシングサーボあるいはトラッキングサーボに影響を与えることなく、基準電極２０１に基準電位Ｖｏを与えることができる。したがって、サーボ系およびＰＬＺＴ素子１２ｂの駆動を安定化させることができる。
【０１４４】
また、ＰＬＺＴ素子１２ｂの電極１０２ａおよび１０２ｂにおける複数の給電部（制御電極２００ａ，２００ｂ，２００ｃ）に供給する制御信号を合成して（重畳させて）、１本の弾性支持部材（弾性支持部材５５ｃ）により供給している。このため、アクチュエータ１３のフォーカシングサーボ系およびトラッキングサーボ系の周波数特性に影響を与えることがなく、サーボ帯域の低下を回避できる。
【０１４５】
また、フォーカシング駆動信号やトラッキング駆動信号とＰＬＺＴ素子１２ｂの制御信号とを周波数的に分離する必要がないので、アクチュエータ１３の保持機構５０に搭載される駆動回路２２を簡単な構成にできる。すなわち、上記のように合成した制御電極２００ａ，２００ｂ，２００ｃに供給する制御信号は、分離が容易なので、アクチュエータ１３の保持機構に搭載する駆動回路を簡単な構成にできる。
【０１４６】
また、本実施の形態では、ＰＬＺＴ素子１２ｂの電極１０２ａおよび１０２ｂにおける制御電極２００ａ〜２００ｃのそれぞれに対して、１本の弾性支持部材を用いて制御信号を供給している。このため、フォーカシングコイル５２およびトラッキングコイル５３の駆動電圧を供給する弾性支持部材５５ａ，５５ｂ，５５ｄ，５５ｅと、ＰＬＺＴ素子１２ｂの制御信号を供給する弾性支持部材５５ｃ，５５ｆの、合計６本の弾性支持部材を備えるだけでよい。したがって、各弾性支持部材の取り付け状態のばらつきによって対物レンズ１０のチルトが発生することを抑制できる。また、アクチュエータ１３の組立て性の低下を抑えられる。
【０１４７】
また、上記したように、実施の形態２において、液晶素子１２ａに代えてＰＬＺＴ素子１２ｂを備えるようにしてもよい。この場合、実施の形態２の構成と略同様の効果を奏する。ただし、ヒーター部１２０ａ，１２０ｂは必ずしも備える必要はない。
【０１４８】
また、本実施の形態では、印加する電圧に応じて厚さが変化する収差補正素子の一例としてＰＬＺＴ素子１２ｂを用いる構成について説明したが、ＰＬＺＴ素子１２ｂに限らず、印加する電圧に応じて厚さが変化する収差補正素子であればよい。
【０１４９】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１５０】
本発明は、光情報記録媒体に対して光学的に情報を記録または再生する光ピックアップ装置であって、対物レンズアクチュエータの可動部に搭載される液晶素子によって収差を補正できる光ピックアップ装置に適用できる。
【図面の簡単な説明】
【０１５１】
【図１】本発明の一実施の形態にかかる光ピックアップ装置の概略構成図である。
【図２】（ａ）は、本発明の一実施の形態にかかる光ピックアップ装置に備えられる液晶素子の断面図である。（ｂ）は、上記液晶素子における電極引出部の構成を説明するための平面図である。
【図３】本発明の一実施の形態にかかる光ピックアップ装置に備えられるアクチュエータの斜視図である。
【図４】本発明の一実施の形態にかかる光ピックアップ装置に備えられる駆動回路の回路図である。
【図５】本発明の他の実施の形態にかかる光ピックアップ装置に備えられる液晶素子の断面図である。
【図６】本発明の他の実施の形態にかかる光ピックアップ装置に備えられる駆動回路の回路図である。
【図７】本発明の光ピックアップ装置を搭載した光学式ディスクプレーヤの構成例を示す概略構成図である。
【図８】（ａ）は、本発明のさらに他の実施の形態にかかる光ピックアップ装置に備えられるＰＬＺＴ素子の断面図である。（ｂ）は、上記ＰＬＺＴ素子における電極引出部の構成を説明するための平面図である。
【符号の説明】
【０１５２】
１２、１２ａ  液晶素子
１２ｂ  ＰＬＺＴ素子
１３  アクチュエータ
２２、２２ａ  駆動回路
５２  フォーカシングコイル
５３  トラッキングコイル
５５ａ〜５５ｆ  弾性支持部材
１００ａ〜１００ｃ  ガラス基板（基板）
１０２ａ、１０２ｂ  電極
１０５ａ、１０５ｂ  電極（基準電極）
１１１  接続端子部
１２０、１２０ａ、１２０ｂ  ヒーター部
２２０〜２２７  入力端子
２１１、２１２、２１５、２１６  ハイパスフィルタ（ＨＰＦ）
２１３、２１４  分圧抵抗
２００、２０１  電極パターン
２００ａ，２００ｂ，２００ｃ  制御電極
３００  ガラス基板
３０１ａ，３０１ｂ  絶縁膜
３０２ａ，３０２ｂ  ＰＬＺＴ基板
３０３ａ，３０３ｂ  接続線
【図１】
2005235340.tif 000003
【図２】
2005235340.tif 000004
【図３】
2005235340.tif 000005
【図４】
2005235340.tif 000006
【図５】
2005235340.tif 000007
【図６】
2005235340.tif 000008
【図７】
2005235340.tif 000009
【図８】
2005235340.tif 000010